(57)【要約】【課題】部材の曲げ若しくは半田付けといった作業を省略し回路基板を効率よく外装ケースに装着する。【解決手段】回路基板１０は、一対の凸部３１ａ，３１ｂを有する基板係合部３１を複数有し、ケース枠２１の対応する箇所に設けられたケース枠係合部３２に填め込められて固定される。ケース枠係合部３２は、開口部分に挿入された凸部３１ａ，３１ｂを支持する基板止め３２ａ，３２ｂと、凸部３１ａと凸部３１ｂとの間の案内溝に沿って基板を誘導するガイド部３３を備え、ガイド部３３は、基板止めから回路基板１０の外装ケース内側に屈曲成形された爪部３４を有している。回路基板１０をケース枠２１に装着する際には、爪部３４が外装ケース材料の剛性により回路基板１０のの凸部３１ａ，３１ｂを外装ケースの側面の突起部３６に押しつけ固定する。【選択図】  図４
2004327640.tif 000002
【特許請求の範囲】
【請求項１】
一対の凸部を外周縁部に複数有する回路基板と、
各側面には上記回路基板に設けられた一対の凸部に対向する位置に該一対の凸部が填め込まれる開口部を有し上記回路基板が内部に装着される外装ケースと、
上記外装ケースのそれぞれの開口部分を覆うケース蓋とを備え、
上記開口部は、上記回路基板の一対の凸部が填め込まれた際に該一対の凸部の間の凹部を固定位置へとガイドするガイド部とを有し、
上記ガイド部は、上記外装ケース内側に屈曲成形された基板止めを有し、上記外装ケース材料の剛性により上記回路基板の一対の凸部を前記外装ケースの側面の突起部に押しつけ固定することを特徴とする電子機器。
【請求項２】
上記回路基板の一対の凸部の少なくとも１つにはアース線が導通され、該アース線は、上記回路基板が上記外装ケースに装着されると上記ガイド部と接触することを特徴とする請求項１記載の電子機器。
【発明の詳細な説明】
【０００１】
【発明の属する技術分野】
本発明は、電子機器に関し、特に、回路基板を保護する外装ケースに回路基板を取り付ける際の取り付け方法を容易にした電子機器に関する。
【０００２】
【従来の技術】
従来、テレビジョン信号或いは衛星放送信号用の受信用チューナ回路等では、回路基板を金属製の外装ケース（保護ケース）で覆って保護している。
【０００３】
以下に、従来の電子機器１００の外観を図面を用いて説明する。図６には、従来の電子機器の外観が示されている。また、図７には、電子機器１００のケース蓋を取り外したときの側面図が示されている。
【０００４】
従来の電子機器１００は、放送信号受信用の回路基板１１０が該回路基板を保護する保護ケース１２０によって覆われている。
【０００５】
回路基板１１０は、コネクタ１１１、接続ピン１１２等を有しており、これらは後述する保護ケースの開口部分から外部に露呈され、接続ケーブルや機器内部の他の回路に接続される。
【０００６】
保護ケース１２０は、回路基板１１０が内部に装着されるケース枠１２１と、ケース枠１２１のそれぞれの開口部分を覆うケース蓋１２２ａ，１２２ｂとからなる。ケース枠１２１の各側面には、回路基板１１０のコネクタ１１１、接続ピン１１２等を外部に露呈するための開口部分が設けられている。
【０００７】
従来の電子機器１００において、回路基板１１０とケース枠１２１との固定部分は、図８に示すようになっている。すなわち、回路基板１１０とケース枠の一部とが半田１３０により固定されている。なお、図８には、図７の丸印領域が拡大して示されている。
【０００８】
このように、金属製の外装ケースに回路基板を装着する手法としては、回路基板の所定位置及びこの位置に対向する外装ケースの所定位置に回路基板との接合部を設け、装着された回路基板と外装ケースとを半田付けする方式が一般的である。
【特許文献】
特開平６−１０４５８０号公報
【０００９】
【発明が解決しようとする課題】
ところが、従来の電子機器において、回路基板と外装ケースとを半田付けして固定する工程は、各部品を組み付ける作業の効率を低下させる要因となっていた。また、作業時間、製造コストもかかるといった問題点があった。
【００１０】
そこで本発明は、上述のような課題に鑑みてなされたものであり、部材の曲げ若しくは半田付けといった作業を省略しても回路基板が効率よく外装ケースに装着される電子機器を提供することを目的とする。
【００１１】
【課題を解決するための手段】
上述の目的を達成するために、本発明に係る電子機器は、一対の凸部を外周縁部に複数有する回路基板と、各側面には回路基板に設けられた一対の凸部に対向する位置に該一対の凸部が填め込まれる開口部を有し回路基板が内部に装着される外装ケースと、外装ケースのそれぞれの開口部分を覆うケース蓋とを備え、開口部は、回路基板の一対の凸部が填め込まれた際に一対の凸部の間の凹部を固定位置へとガイドするガイド部とを有し、ガイド部は、外装ケース内側に屈曲成形された基板止めを有し、外装ケース材料の剛性により回路基板の一対の凸部を外装ケースの側面の突起部に押しつけ固定することを特徴とする電子機器。
【００１２】
ここで、回路基板の一対の凸部の少なくとも１つにはアース線が導通され、該アース線は、回路基板が外装ケースに装着されるとガイド部と接触し、外装ケースへのアースがなされる。
【００１３】
【発明の実施の形態】
以下、本発明の具体例を図面を用いて詳細に説明する。
【００１４】
本発明の具体例として図１及び図２に示す電子機器１は、テレビジョン信号、若しくは衛星放送信号を受信するための受信用チューナ回路であって、放送信号受信用の回路基板１０が該回路基板を保護する保護ケース２０によって覆われている。図１には、電子機器１の上面図が示されている。また、図２には、電子機器１の側面図が示されている。
【００１５】
回路基板１０は、コネクタ１１、接続ピン１２等を有しており、これらは後述する保護ケースの開口部分から外部に露呈され、接続ケーブルや機器内部の他の回路に接続される。
【００１６】
保護ケース２０は、長辺と短辺とが回路基板１０と略同長の両開口箱型形状であって、回路基板１０が内部に装着されるケース枠２１と、回路基板１０が装着されたケース枠２１のそれぞれの開口部分を覆うケース蓋２２ａ，２２ｂとからなる。ケース枠２１の各側面には、回路基板１０のコネクタ１１、接続ピン１２等を外部に露呈するための開口部分が設けられている。
【００１７】
続いて、回路基板１０とケース枠２１との固定部分について詳細に説明する。図３には、電子機器１のケース蓋２２ａ，２２ｂを取り外したときの側面図が示されている。また、図４（ａ）には、図３の丸印領域が拡大して示されている。また、図４（ｂ）には、基板係合部３１とケース枠係合部３２との係合状態を上面からみた図が示されている。
【００１８】
回路基板１０は、外周縁部にケース枠２１と係合するための一対の凸部３１ａ，３１ｂを有する基板係合部３１を複数有しており、ケース枠２１の対応する箇所に設けられたケース枠係合部３２に填め込められて固定される。ケース枠係合部３２は、図４（ａ）に示すように、開口部分に挿入された凸部３１ａ，３１ｂを支持する基板止め３２ａ，３２ｂと、凸部３１ａと凸部３１ｂとの間の案内溝に沿って基板を誘導するガイド部３３を備える。ガイド部３３は、基板止めの下側に外装ケース内側に屈曲成形された爪部３４を有している。
【００１９】
回路基板１０をケース枠２１に装着する様子を図５に示す。図５は、図４（ａ）に示す部分の断面を示している。図５に示すように、矢印１方向に回路基板１０を押し込むことによって、爪部３４がケース枠２１の凸部３１ａと凸部３１ｂの間に押し当てられ、回路基板１０は爪部３４によって矢印２方向にガイドされ、回路基板１０が所定の位置に押し下げられる。したがって、回路基板１０をケース枠２１に挿入する際に、爪部３４が図５中矢印２方向へのガイド部材として作用するため、回路基板１０は図４に示される所定位置にスムーズに挿入固定される。
【００２０】
また、爪部３４は、ケース枠２１の剛性により所定の弾性を有し、回路基板１０を所定の位置に挿入後に凸部３１ａと凸部３１ｂの間を矢印３方向に向かって押し上げる。ケース枠２１には、ケース枠２１の内側に向かってに突出する複数の絞り等の突起部３６が設けられており、回路基板１０の縁部がその突起部３６に当接することにより、回路基板１０の矢印３方向への動きが規制されている。したがって、回路基板１０は、爪部３４のバネ性によって矢印３方向へと押し上げられ、ケース枠２１の突起部３６によって矢印３方向への動きが規制されることによって、爪部３４と突起部３６との間に弾性的に支持される。
【００２１】
上述の例では、回路基板１０の複数ある基板係合部３１の少なくとも１つにアース線が導通されており、爪部３４によって回路基板が押しつけられるとき、このアース線が爪部３４（すなわちケース枠２１）に接触しアースされる。
【００２２】
【発明の効果】
以上詳細に説明したように、本発明に係る回路ボックスは、回路基板の凸部が挿入される外装ケースの開口部が回路基板の一対の凸部を支える第１の基板止めと、回路基板の一対の凸部が填め込まれた際に該一対の凸部の間の凹部を第１の基板止めへとガイドするガイド部とを有し、ガイド部が第１の基板止めから回路基板の厚み長と略同長位置が外装ケース内側に屈曲成形された第２の基板止めを有し、これら第１の基板止め及び第２の基板止めと外装ケース材料の剛性とにより回路基板の一対の凸部を第１の基板止めに対して押しつけ固定することにより、回路基板のケース枠への挿入がスムーズに行われ、部材の曲げ、若しくは半田付けといった作業を省略しても回路基板を効率よく外装ケースに装着できる。
【図面の簡単な説明】
【図１】本発明の具体例として示す電子機器の外観を説明する上面図である。
【図２】本発明の電子機器の側面図である。
【図３】上記電子機器のケース蓋を取り外したときの側面図である。
【図４】（ａ）は、図３における要部を拡大して示した要部拡大図であり、（ｂ）は、図３における要部を上面からみて拡大して示した要部拡大図である。
【図５】回路基板をケース枠に装着する様子を模式的に示した図である。
【図６】従来の電子機器の外観を説明する上面図である。
【図７】従来の電子機器のケース枠の側面図である。
【図８】従来の電子機器において、回路基板をケース枠に固定する様子を模式的に示した図である。
【符号の説明】
１        電子機器
１０      回路基板
１１      コネクタ
１２      接続ピン
２０      保護ケース
２１      ケース枠
２２ａ    ケース蓋
２２ｂ    ケース蓋
３１      基板係合部
３１ａ    凸部
３１ｂ    凸部
３２ａ    基板止め
３２ｂ    基板止め
３３      ガイド部
３４      爪部
３６      突起部
【図１】
2004327640.tif 000003
【図２】
2004327640.tif 000004
【図３】
2004327640.tif 000005
【図４】
2004327640.tif 000006
【図５】
2004327640.tif 000007
【図６】
2004327640.tif 000008
【図７】
2004327640.tif 000009
【図８】
2004327640.tif 000010
【手続補正書】
【提出日】平成15年5月8日(2003.5.8)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、電子機器に関し、特に、回路基板を保護する外装ケースに回路基板を取り付ける際の取り付け方法を容易にした電子機器に関する。
【０００２】
【従来の技術】
従来、テレビジョン信号或いは衛星放送信号用の受信用チューナ回路等では、回路基板を金属製の外装ケース（保護ケース）で覆って保護している。
【０００３】
以下に、従来の電子機器１００の外観を図面を用いて説明する。図６には、従来の電子機器の外観が示されている。また、図７には、電子機器１００のケース蓋を取り外したときの側面図が示されている。
【０００４】
従来の電子機器１００は、放送信号受信用の回路基板１１０が該回路基板を保護する保護ケース１２０によって覆われている。
【０００５】
回路基板１１０は、コネクタ１１１、接続ピン１１２等を有しており、これらは後述する保護ケースの開口部分から外部に露呈され、接続ケーブルや機器内部の他の回路に接続される。
【０００６】
保護ケース１２０は、回路基板１１０が内部に装着されるケース枠１２１と、ケース枠１２１のそれぞれの開口部分を覆うケース蓋１２２ａ，１２２ｂとからなる。ケース枠１２１の各側面には、回路基板１１０のコネクタ１１１、接続ピン１１２等を外部に露呈するための開口部分が設けられている。
【０００７】
従来の電子機器１００において、回路基板１１０とケース枠１２１との固定部分は、図８に示すようになっている。すなわち、回路基板１１０とケース枠の一部とが半田１３０により固定されている。なお、図８には、図７の丸印領域が拡大して示されている。
【０００８】
このように、金属製の外装ケースに回路基板を装着する手法としては、回路基板の所定位置及びこの位置に対向する外装ケースの所定位置に回路基板との接合部を設け、装着された回路基板と外装ケースとを半田付けする方式が一般的である。
【特許文献】
特開平６−１０４５８０号公報
【０００９】
【発明が解決しようとする課題】
ところが、従来の電子機器において、回路基板と外装ケースとを半田付けして固定する工程は、各部品を組み付ける作業の効率を低下させる要因となっていた。また、作業時間、製造コストもかかるといった問題点があった。
【００１０】
そこで本発明は、上述のような課題に鑑みてなされたものであり、部材の曲げ若しくは半田付けといった作業を省略しても回路基板が効率よく外装ケースに装着される電子機器を提供することを目的とする。
【００１１】
【課題を解決するための手段】
上述の目的を達成するために、本発明に係る電子機器は、一対の凸部を外周縁部に複数有する回路基板と、各側面には回路基板に設けられた一対の凸部に対向する位置に該一対の凸部が填め込まれる開口部を有し回路基板が内部に装着される外装ケースと、外装ケースのそれぞれの開口部分を覆うケース蓋とを備え、開口部は、回路基板の一対の凸部が填め込まれた際に一対の凸部の間の凹部を固定位置へとガイドするガイド部とを有し、ガイド部は、外装ケース内側に屈曲成形された基板止めを有し、外装ケース材料の剛性により回路基板の一対の凸部を外装ケースの側面の突起部に押しつけ固定することを特徴とする電子機器。
【００１２】
ここで、回路基板の一対の凸部の少なくとも１つにはアース線が導通され、該アース線は、回路基板が外装ケースに装着されるとガイド部と接触し、外装ケースへのアースがなされる。
【００１３】
【発明の実施の形態】
以下、本発明の具体例を図面を用いて詳細に説明する。
【００１４】
本発明の具体例として図１及び図２に示す電子機器１は、テレビジョン信号、若しくは衛星放送信号を受信するための受信用チューナ回路であって、放送信号受信用の回路基板１０が該回路基板を保護する保護ケース２０によって覆われている。図１には、電子機器１の上面図が示されている。また、図２には、電子機器１の側面図が示されている。
【００１５】
回路基板１０は、コネクタ１１、接続ピン１２等を有しており、これらは後述する保護ケースの開口部分から外部に露呈され、接続ケーブルや機器内部の他の回路に接続される。
【００１６】
保護ケース２０は、長辺と短辺とが回路基板１０と略同長の両開口箱型形状であって、回路基板１０が内部に装着されるケース枠２１と、回路基板１０が装着されたケース枠２１のそれぞれの開口部分を覆うケース蓋２２ａ，２２ｂとからなる。ケース枠２１の各側面には、回路基板１０のコネクタ１１、接続ピン１２等を外部に露呈するための開口部分が設けられている。
【００１７】
続いて、回路基板１０とケース枠２１との固定部分について詳細に説明する。図３には、電子機器１のケース蓋２２ａ，２２ｂを取り外したときの側面図が示されている。また、図４（ａ）には、図３の丸印領域が拡大して示されている。また、図４（ｂ）には、基板係合部３１とケース枠係合部３２との係合状態を上面からみた図が示されている。
【００１８】
回路基板１０は、外周縁部にケース枠２１と係合するための一対の凸部３１ａ，３１ｂを有する基板係合部３１を複数有しており、ケース枠２１の対応する箇所に設けられたケース枠係合部３２に填め込められて固定される。ケース枠係合部３２は、図４（ａ）に示すように、開口部分に挿入された凸部３１ａ，３１ｂを支持する基板止め３２ａ，３２ｂと、凸部３１ａと凸部３１ｂとの間の案内溝に沿って基板を誘導するガイド部３３を備える。ガイド部３３は、基板止めの下側に外装ケース内側に屈曲成形された爪部３４を有している。
【００１９】
回路基板１０をケース枠２１に装着する様子を図５に示す。図５は、図４（ａ）に示す部分の断面を示している。図５に示すように、矢印１方向に回路基板１０を押し込むことによって、爪部３４がケース枠２１の凸部３１ａと凸部３１ｂの間に押し当てられ、回路基板１０は爪部３４によって矢印２方向にガイドされ、回路基板１０が所定の位置に押し下げられる。したがって、回路基板１０をケース枠２１に挿入する際に、爪部３４が図５中矢印２方向へのガイド部材として作用するため、回路基板１０は図４に示される所定位置にスムーズに挿入固定される。
【００２０】
また、爪部３４は、ケース枠２１の剛性により所定の弾性を有し、回路基板１０を所定の位置に挿入後に凸部３１ａと凸部３１ｂの間を矢印３方向に向かって押し上げる。ケース枠２１には、ケース枠２１の内側に向かってに突出する複数の絞り等の突起部３６が設けられており、回路基板１０の縁部がその突起部３６に当接することにより、回路基板１０の矢印３方向への動きが規制されている。したがって、回路基板１０は、爪部３４のバネ性によって矢印３方向へと押し上げられ、ケース枠２１の突起部３６によって矢印３方向への動きが規制されることによって、爪部３４と突起部３６との間に弾性的に支持される。
【００２１】
上述の例では、回路基板１０の複数ある基板係合部３１の少なくとも１つにアース線が導通されており、爪部３４によって回路基板が押しつけられるとき、このアース線が爪部３４（すなわちケース枠２１）に接触しアースされる。
【００２２】
【発明の効果】
以上詳細に説明したように、本発明に係る回路ボックスは、回路基板の凸部が挿入される外装ケースの開口部が回路基板の一対の凸部を支える第１の基板止めと、回路基板の一対の凸部が填め込まれた際に該一対の凸部の間の凹部を第１の基板止めへとガイドするガイド部とを有し、ガイド部が第１の基板止めから回路基板の厚み長と略同長位置が外装ケース内側に屈曲成形された第２の基板止めを有し、これら第１の基板止め及び第２の基板止めと外装ケース材料の剛性とにより回路基板の一対の凸部を第１の基板止めに対して押しつけ固定することにより、回路基板のケース枠への挿入がスムーズに行われ、部材の曲げ、若しくは半田付けといった作業を省略しても回路基板を効率よく外装ケースに装着できる。
【図面の簡単な説明】
【図１】本発明の具体例として示す電子機器の外観を説明する上面図である。
【図２】本発明の電子機器の側面図である。
【図３】上記電子機器のケース蓋を取り外したときの側面図である。
【図４】（ａ）は、図３における要部を拡大して示した要部拡大図であり、（ｂ）は、図３における要部を上面からみて拡大して示した要部拡大図である。
【図５】回路基板をケース枠に装着する様子を模式的に示した図である。
【図６】従来の電子機器の外観を説明する上面図である。
【図７】従来の電子機器のケース枠の側面図である。
【図８】従来の電子機器において、回路基板をケース枠に固定する様子を模式的に示した図である。
【符号の説明】
１        電子機器
１０      回路基板
１１      コネクタ
１２      接続ピン
２０      保護ケース
２１      ケース枠
２２ａ    ケース蓋
２２ｂ    ケース蓋
３１      基板係合部
３１ａ    凸部
３１ｂ    凸部
３２ａ    基板止め
３２ｂ    基板止め
３３      ガイド部
３４      爪部
３６      突起部